(57)【特許請求の範囲】
【請求項１】
断熱性能を有する冷蔵庫本体と、前記冷蔵庫本体内に設けた複数の貯蔵室と、前記貯蔵室の開口部をそれぞれ開閉可能とする複数の断熱扉とを備え、前記断熱扉は、内フレームと縁枠と着色層付きの透明前板と発泡断熱材とで形成し、前記透明前板の外周部は透明前板挿入部で覆うことなく外周側面の少なくとも一部を露出させるとともに、前記透明前板の外周部の少なくとも一部にＣ面を形成したもので、前記Ｃ面の幅寸法は前記透明前板の板厚寸法より大きく設定されたものであり、前記Ｃ面は複数の前記断熱扉のそれぞれ対向しない周縁部に形成したことを特徴とする冷蔵庫。
【請求項２】
複数の前記断熱扉のそれぞれ対向する前記透明前板外周部には、前記透明前板の板厚寸法より小さいＣ面が形成されていることを特徴とする請求項１に記載の冷蔵庫。
【発明の詳細な説明】
【技術分野】
【０００１】
本発明は冷蔵庫に関し、特に冷蔵庫の扉構成に関するものである。
【背景技術】
【０００２】
一般にこの種の冷蔵庫は、断熱性を有する冷蔵庫本体内に冷蔵室、冷凍室、冷凍室等を設け、これら各冷蔵室、冷凍室、冷凍室等は扉によって開閉可能に構成してある。
【０００３】
上記扉は、冷蔵庫本体の前面となる前板と、冷蔵室、冷凍室、冷凍室等の内面となる内フレームと、これら前板と内フレームとを一体に連結する枠体と、の間にウレタンを充填発泡させて冷蔵庫本体と同様断熱性を有するように構成してある。
【０００４】
このような冷蔵庫にあって、その扉の前板は冷蔵庫全体の見栄え、すなわち意匠に大きな影響を与え、その仕上がりは冷蔵庫全体の品位を大きく左右する。
【０００５】
そこでこの扉の意匠性を向上させるべく扉の前板をガラス板で構成したものが見られる（例えば、特許文献１参照）。
【０００６】
図２１は上記特許文献１で提案された扉を示し、その前板１０１は模様等の着色層１０２をシルク印刷によって形成した着色ガラス板１０３で構成してあり、当該着色ガラス板１０３と内フレーム１０４と枠体１０５との間にウレタン１０６を充填発泡させて構成してある。
【先行技術文献】
【特許文献】
【０００７】
【特許文献１】特許第３１４０１１０号公報
【発明の概要】
【発明が解決しようとする課題】
【０００８】
しかしながら、上記従来の冷蔵庫では、着色層１０２の手前に着色ガラス板１０３の透明層が位置するため、着色の色に深みが加わって質感が増し、金属製あるいは樹脂製の塗装前板に比べるとその意匠性が向上する利点がある一方、枠体１０５に着色ガラス板挿入部１０７を設け、この着色ガラス板挿入部１０７に前記着色ガラス板１０３の外周部をはめ込んでいたため、この着色ガラス板挿入部１０７が着色ガラス板１０３の前面周囲に露出し、着色ガラス板１０３を用いて向上させた意匠性を損なうという課題があった。
【０００９】
特に扉が複数備わっている場合は、各扉の外周部の着色ガラス板挿入部１０７や把手枠１０９の露出箇所が多いため、扉面全体が当該着色ガラス板挿入部１０７や把手枠１０７の突出によって、意匠性を大きく損なうものであった。
【００１０】
本発明はこのような点に鑑みてなしたもので、複数の扉を備えた冷蔵庫であってもその扉前面の意匠性を高いものとした冷蔵庫を提供することを目的とする。
【課題を解決するための手段】
【００１１】
上記従来の課題を解決するために、本発明の冷蔵庫は、断熱性能を有する冷蔵庫本体と、前記冷蔵庫本体内に設けた複数の貯蔵室と、前記貯蔵室の開口部をそれぞれ開閉可能とする複数の断熱扉とを備え、前記断熱扉は、内フレームと縁枠と着色層付きの透明前板と発泡断熱材とで形成し、前記透明前板の外周部は透明前板挿入部で覆うことなく外周側面の少なくとも一部を露出させるとともに、前記透明前板の外周部の少なくとも一部にＣ面を形成したもので、前記Ｃ面の幅寸法は前記透明前板の板厚寸法より大きく設定されたものであり、前記Ｃ面は複数の前記断熱扉のそれぞれ対向しない周縁部に形成したものである。
【００１２】
これにより、安全性を高めながら透明前板の外周部の意匠性を高めることができる。
【発明の効果】
【００１３】
本発明の冷蔵庫は、透明前板の外周部は透明前板挿入部で覆うことなく外周側面の少なくとも一部を露出させるとともに、前記透明前板の外周部の少なくとも一部にＣ面を形成したもので、前記Ｃ面は複数の前記断熱扉のそれぞれ対向しない周縁部に形成したことにより、安全性を高めながら高い意匠性の扉を備えた冷蔵庫を提供することができる。
【図面の簡単な説明】
【００１４】
【図１】本発明の実施の形態１における冷蔵庫の概観斜視図
【図２】同実施の形態における冷蔵庫の模式断面図
【図３】同実施の形態における冷蔵庫の正面図
【図４】同実施の形態における冷蔵庫の冷蔵室右扉の斜視図
【図５】同実施の形態における冷蔵庫の冷蔵室右扉の分解斜視図
【図６】図４のＡ−Ａ断面図
【図７】図６のＢ部拡大図
【図８】本発明の実施の形態２における冷蔵庫の正面図
【図９】同実施の形態における冷蔵庫の冷蔵室右扉の斜視図
【図１０】図９のＣ−Ｃ断面図
【図１１】冷蔵室右扉の開放側の要部拡大図
【図１２】冷蔵室右扉のヒンジ側の要部拡大図
【図１３】同実施の形態における冷蔵庫の冷蔵室右扉に用いる補強部材の斜視図
【図１４】図８のＪ−Ｊ断面図
【図１５】図１４のＤ部拡大図
【図１６】図１４のＥ部拡大図
【図１７】図１４のＦ部拡大図
【図１８】図１４のＧ部拡大図
【図１９】図１４のＨ部拡大図
【図２０】本発明の実施の形態３における冷蔵庫の冷蔵室右扉の要部拡大断面図
【図２１】従来の冷蔵庫の扉の要部断面図
【発明を実施するための形態】
【００１５】
請求項１に記載の発明は、本発明の冷蔵庫は、断熱性能を有する冷蔵庫本体と、前記冷蔵庫本体内に設けた複数の貯蔵室と、前記貯蔵室の開口部をそれぞれ開閉可能とする複数の断熱扉とを備え、前記断熱扉は、内フレームと縁枠と着色層付きの透明前板と発泡断熱材とで形成し、前記透明前板の外周部は透明前板挿入部で覆うことなく外周側面の少なくとも一部を露出させるとともに、前記透明前板の外周部の少なくとも一部にＣ面を形成したもので、前記Ｃ面の幅寸法は前記透明前板の板厚寸法より大きく設定されたものであり、前記Ｃ面は複数の前記断熱扉のそれぞれ対向しない周縁部に形成したものであり、安全性を高めながら意匠性の高い扉を備えた冷蔵庫を提供することができる。また、請求項２に記載の発明は、請求項１に記載の発明において、複数の前記断熱扉のそれぞれ対向する前記透明前板外周部には、前記透明前板の板厚寸法より小さいＣ面が形成されているものであり、さらに意匠性の高い扉を備えた冷蔵庫を提供することができる。
【００１６】
以下、本発明の実施の形態について、図面を参照しながら説明する。なお、この実施の形態によってこの発明が限定されるものではない。
【００１７】
（実施の形態１）
図１は本発明の実施の形態１における冷蔵庫の概観斜視図、図２は同実施の形態における冷蔵庫の模式断面図、図３は同実施の形態における冷蔵庫の正面図、図４は同実施の形
態における冷蔵庫の冷蔵室右扉の斜視図、図５は同実施の形態における冷蔵庫の冷蔵室右扉の分解斜視図、図６は図４のＡ−Ａ断面図、図７は図６のＢ部拡大図である。
【００１８】
図１から図３において、冷蔵庫本体１は、前方に開口する金属製（例えば鉄板）の外箱２と、硬質樹脂製（例えばＡＢＳ）の内箱３と、これら外箱２と内箱３との間に発泡充填した硬質の発泡ウレタン４からなる。上記冷蔵庫本体１はその内部に複数の貯蔵室を仕切形成してある。この貯蔵室は、冷蔵庫本体１の上部から、冷蔵室５、冷蔵室５の下に位置する切替室６及び切替室６に並設した製氷室７、切替室６及び製氷室７の下部に位置する冷凍室８と、冷凍室８の下部に位置する野菜室９となっている。また、前記冷蔵室５の前面は、観音開き式の断熱扉である冷蔵室左扉１０ａ、冷蔵室右扉１０ｂ、により開閉自由に閉塞し、切替室６及び製氷室７と冷凍室８と野菜室９の前面部には、それぞれ引き出し式の製氷室扉１１、切替室扉１２、冷凍室扉１３、野菜室扉１４によって開閉自由に閉塞してある。
【００１９】
冷蔵庫本体１の背面には冷却室１６があり、冷気を生成する冷却器１７と、冷気を各室に供給する送風ファン１８とが設けてある。また、上記冷蔵庫本体１の本体天面奥部には圧縮機１９が設けてあり、コンデンサ（図示せず）と、放熱用の放熱パイプ２０と、キャピラリーチューブ２１と、前記した冷却器１７とを順次環状に接続してなる冷凍サイクルに冷媒を封入し、冷却運転を行うように構成してある。
【００２０】
ここで、上記冷蔵室左扉１０ａ、冷蔵室右扉１０ｂ、製氷室扉１１、切替室扉１２、冷凍室扉１３、野菜室扉１４は、冷蔵庫本体１と同様硬質のウレタンを発泡充填して断熱性を持たせてあり、更に意匠性を向上させるべくその前面をガラス板等の透明前板で構成してある。
【００２１】
次に、冷蔵室右扉１０ｂを例に、その構成について図４から図７を用いて詳細に説明する。
【００２２】
図４から図７において、冷蔵庫本体１の内側に位置することになる内フレーム２３は、例えばＡＢＳ樹脂で形成してある。前記内フレーム２３の周端面に結合固定した縁枠２４は、ＡＢＳ樹脂で形成してある。前記内フレーム２３を覆うようにその縁枠２４に積層配置したガラス板等の透明前板２５（以下、ガラス板２５と呼ぶ）は、本実施の形態では光沢のある強化ガラス板、あるいは強化処理ガラス板を用いている。
【００２３】
ガラス板２５の裏面（内フレーム２３側）には、例えばヘアーラインのような金属調模様からなる着色層２８を備えている。なお、着色層２８は、ガラス板２５の裏面に塗装で形成した塗装方式でも良いし、絵模様を施した樹脂フィルムを、接着剤を介して貼り付ける樹脂フィルム方式でも良い。
【００２４】
ガラス板２５の周縁部は縁枠２４のフランジ部３０に備えた接着材、例えば両面テープ２６で接着保持されている。
【００２５】
そして、ガラス板２５の着色層２８側の面と内フレーム２３と縁枠２４との間の空間に充填発泡させた硬質のウレタン２９は、発泡によって内フレーム２３及び縁枠２４とともに前記ガラス板２５内面の着色層２８に接着し、ウレタン２９を介してガラス板２５を接着保持している。
【００２６】
すなわち、ガラス板２５は両面テープ２６とウレタン２９の両者でガラス板２５を接着保持している。
【００２７】
なお、ガラス板２５は必ずしもウレタン２９と接着する必要はなく、少なくともガラス板２５を内フレーム２３に固着する仕様であればよい。
【００２８】
ここで、図７に示すように、縁枠２４は従来例で説明したような着色ガラス板挿入部を有しておらず、ガラス板２５はその外周部の一部をそのまま露出させた構成としてある。
【００２９】
具体的には、ガラス板２５の外周側面２５ａは、縁枠２４のフランジ部３０より前方に突出した縁枠前端部２４ａに対向して配置し、ガラス板２５の外周側面２５ａの一部を露出して配置した構成としている。
【００３０】
したがって、ガラス板２５の外周側面２５ａは、一部を露出して配置されるとともに、縁枠２４の縁枠側面２４ｃより内側に位置して配置されることになる。
【００３１】
また、ガラス板２５の外周部の少なくとも一部にＣ面２７が形成されている。そして、Ｃ面２７の幅寸法Ｗ１はガラス板２５の板厚寸法Ｔ１よりも大きく設定されている。本実施の形態では、ガラス板２５の板厚Ｔ１＝３．２ｍｍ、Ｃ面２７の幅Ｗ１＝１４ｍｍとしている。
【００３２】
また、ガラス板２５のＣ面２７端部（外周部）の板厚寸法をＴ２とすると、Ｔ２はＴ１の半分以上の板厚を確保している（Ｔ２＞Ｔ１／２）。本実施の形態ではＴ２＝１．７ｍｍとしている。
【００３３】
また、ガラス板２５のＣ面２７の端部から外周側面２５ａにつながる部分は端面保護のために曲面であるＲ部２５ｂを形成している。
【００３４】
また、縁枠２４の縁枠前端部２４ａから縁枠２４の側面部にかけて縁枠傾斜面２４ｂを形成している。
【００３５】
そして、縁枠傾斜面２４ｂの前方延長面より前方に突出しないように、ガラス板２５の外周側面２５ａの前端部を位置させている。
【００３６】
また、縁枠２４のフランジ部３０の内側端部は、ガラス板２５のＣ面２７のＣ面内側端部２７ｂより内側（中央部側）に位置している。すなわち、Ｃ面２７の幅Ｗ１よりフランジ部３０の幅Ｗ２を大きく設定している。
【００３７】
また、縁枠２４の強度を高めるために、縁枠２４の内面に連続して設けた第２フランジ部３１と第３フランジ部３２との間に断面コの字状の補強部材３３を配置している。
【００３８】
そして、観音開き式の冷蔵室左扉１０ａでは上側と左側の周縁部にＣ面２７を形成している。観音開き式の冷蔵室右扉１０ｂでは上側と右側の周縁部にＣ面２７を形成している。製氷室扉１１では左側の周縁部にＣ面２７を形成している。切替室扉１２では右側の周縁部にＣ面２７を形成している。冷凍室扉１３と野菜室扉１４では左側と右側の周縁部にＣ面２７を形成している。
【００３９】
すなわち、図３の冷蔵庫全体の正面図において、上下左右に複数の扉を備えた冷蔵庫の左側と右側と上側の周縁部で複数の扉に跨ってＣ面２７を形成している。
【００４０】
なお、各扉のガラス板２５のＣ面２７を形成していない外周側面と縁枠２４との配置についても、Ｃ面２７の有無の差だけで、ガラス板２５の外周側面は、一部を露出して配置されるとともに、縁枠２４の縁枠側面２４ｃより内側に位置して配置されている。
【００４１】
また、冷凍室扉１３、野菜室扉１４の各引出式扉の上部には扉を前方に引き出すための手掛け部として、縁枠２４の上辺には下方に向けて凹部が形成されている。そして、縁枠２４の前記凹部の左右端部の立ち上がり部の幅は、ガラス板２５の左右周縁部に形成したＣ面２７の幅Ｗ１と略同一寸法としている。
【００４２】
また、製氷室扉１１、切替室扉１２の各引出式扉の下部には扉を前方に引き出すための手掛け部として、縁枠２４の下辺には上方に向けて凹部が形成されている。
【００４３】
上記構成により、冷蔵室右扉１０ｂのガラス板２５は縁枠２４のフランジ部３０に備えた両面テープ２６と、充填発泡されたウレタン２９の両者で強固に接着保持される。
【００４４】
また、縁枠２４は従来例で説明したような着色ガラス板挿入部を有しておらず、ガラス板２５の外周側面２５ａは、縁枠２４のフランジ部３０より前方に突出した縁枠前端部２４ａに対向して配置し、ガラス板２５の外周側面２５ａの一部を露出して配置した構成とすることで、ガラス板２５の外周側面２５ａは、一部を露出して配置されるとともに、縁枠２４の縁枠側面２４ｃより内側に位置して配置されるので、従来のようなガラス板挿入部があるもののように意匠性を損なうことがなく、全面フラット感のあるすっきりとした外観にすることができる。また、ガラス板挿入部とガラス板との間の境界部にほこりや塵埃等が付着堆積してこれが線状に目立ってくることもなく、長期間に亘って初期の高い意匠性をそのまま維持することができる。
【００４５】
また、ガラス板２５の外周部の少なくとも一部にＣ面２７が形成されているので、ガラス板２５がクリスタルカットガラスのような高級感を奏して、意匠性の高い扉を備えた冷蔵庫を提供することができる。
【００４６】
また、Ｃ面２７の幅寸法Ｗ１はガラス板２５の板厚寸法Ｔ１よりも大きく設定されているので、品質、コストのバランスを保った上で、Ｃ面２７の存在感を十分確保でき、ガラス板２５がクリスタルカットガラスのような高級感を奏した意匠性の高い扉を提供することができる。
【００４７】
ここで、Ｃ面２７の幅Ｗ１には適切な寸法がある。その理由は、フラットなガラス板２５の端部を機械的に切削することでＣ面２７は形成されるので、所定寸法以上のＣ面２７を形成しようとすると、切削部の角度が緩く、製造上のバラツキで、ガラス板２５のフラット部とＣ面２７との境界部が波打ったりして直線性を確保できない。一方、所定寸法以下のＣ面２７を形成した場合、Ｃ面２７の存在感を表現できず、意匠的な訴求が損なわれる。品質、コストのバランス面から本実施の形態ではＷ１を１４ｍｍとしたが、Ｗ１はガラス板２５の板厚Ｔ１以上板厚Ｔ１の８倍以下が望ましい。また、Ｃ面２７の角度はフラット面に対して、５度以上が望ましい。
【００４８】
また、ガラス板２５の板厚Ｔ１に対して、ガラス板２５のＣ面２７端部（外周部）の板厚Ｔ２はＴ１の半分以上の板厚を確保しているので、Ｃ面２７端部（外周部）の強度、割れ等の不具合を防止することができる。
【００４９】
また、ガラス板２５のＣ面２７の端部から外周側面２５ａにつながる部分は端面保護のために曲面であるＲ部２５ｂを形成しているので、Ｃ面２７端部（外周部）の強度、割れ等の不具合を防止することができる。
【００５０】
また、縁枠２４の縁枠前端部２４ａから縁枠２４の側面部にかけて縁枠傾斜面２４ｂを形成しているので、Ｃ面２７を形成しているＣ面傾斜面２７ａとの一体感が高まり、さら
に扉面の意匠性を高めることができる。また、冷蔵室右扉１０ｂはヒンジ式の回転扉で、回転軸側に縁枠傾斜面２４ｂを形成しているので、扉開閉したときの冷蔵庫本体と縁枠２４との間隔を広く保つことができる。したがって、使用者の安全性を高めることができる。
【００５１】
また、縁枠傾斜面２４ｂの前方延長面より前方に突出しないように、ガラス板２５の外周側面２５ａの前端部を位置させているので、外方から物が縁枠に接触したとしても、ガラス板２５の外周側面２５ａの前端部に物が接触する機会を低減することができ、Ｃ面２７端部（外周部）の強度、割れ等の不具合を防止することができる。
【００５２】
また、縁枠２４のフランジ部３０の内側端部は、ガラス板２５のＣ面２７のＣ面内側端部２７ｂより内側（中央部側）に位置している、すなわち、Ｃ面２７の幅Ｗ１よりフランジ部３０の幅Ｗ２を大きく設定しているので、ウレタン２９を充填発泡するときのウレタン冶具のガラス板２５側の受け面（ガラス板２５のフラットな面）とフランジ部３０との間には隙間（空間）がなく、充填発泡時の圧力によるフランジ部３０の変形も発生しにくい。したがって、フランジ部３０の変形による不具合、たとえば、ガラス板２５の残留応力ひずみの発生や、ウレタン充填発泡後のウレタン収縮によるガラス板２５とウレタン２９との接着強度の低下（はがれ易さ）、あるいは、ガラス板２５と両面テープ２６との接着強度の低下（はがれ易さ）を低減することができる。
【００５３】
また、縁枠２４の強度を高めるために、縁枠２４の内面に連続して設けた第２フランジ部３１と第３フランジ部３２との間に断面コの字状の補強部材３３を配置しているので、縁枠２４の変形を防止でき、扉体のウレタン充填発泡後の品質を高めることができる。
【００５４】
また、上下左右に複数の扉を備えた冷蔵庫本体１の左側と右側と上側の周縁部で複数の扉に跨ってＣ面２７を形成しているので、冷蔵庫全体の外周部のトータル的な意匠性を向上することができる。
【００５５】
すなわち、観音開き式の断熱扉である冷蔵室左扉１０ａと冷蔵室右扉１０ｂの対向面にはＣ面２７を設けていないので、観音開き式扉の一体感が向上する。同様に、製氷室扉１１と切替室扉１２の隣接面にもＣ面２７を設けていないので、左右に隣接する扉同士の一体感が向上する。
【００５６】
また、各扉のガラス板２５のＣ面２７を形成していない外周側面と縁枠２４との配置についても、Ｃ面２７の有無の差だけで、ガラス板２５の外周側面は、一部を露出して配置されるとともに、縁枠２４の縁枠側面２４ｃより内側に位置して配置されているので、すべての扉において、全面フラット感のあるすっきりとした外観にすることができるとともに、ガラス板挿入部とガラス板との間の境界部にほこりや塵埃等が付着堆積してこれが線状に目立ってくることもなく、長期間に亘って初期の高い意匠性をそのまま維持することができる。
【００５７】
また、冷凍室扉１３と野菜室扉１４では左側と右側の周縁部にＣ面２７を形成しているので、冷凍室扉１３、野菜室扉１４の各引出式扉の上部に形成した手掛け部に隣接するガラス板２５の周縁部にはＣ面がない。したがって、Ｃ面形成による相対的なガラス板２５の強度低下も防止できることになり、使用者の相対的な安全性を向上することができる。
【００５８】
また、冷凍室扉１３と野菜室扉１４では左側と右側の周縁部にＣ面２７を形成しているので、冷凍室扉１３、野菜室扉１４の各引出式扉のガラス板２５の下部周縁部にはＣ面がない。したがって、ガラス板２５の荷重を受ける下部周縁部のＣ面形成による相対的なガラス板２５の強度低下も防止できることになり、冷凍室扉１３、野菜室扉１４の信頼性を
相対的に高めることができる。
【００５９】
なお、本実施の形態では、上下左右に複数の扉を備えた冷蔵庫本体１の左側と右側と上側の周縁部で複数の扉に跨ってＣ面２７を形成したもので説明したが、各扉の全周に亘ってＣ面２７を形成しても良い。この場合、すべての扉に対して、ガラス板２５がクリスタルカットガラスのような高級感を奏して、意匠性の高い扉を提供することができる。
【００６０】
また、上下左右に複数の扉を備えた冷蔵庫本体１の左側と右側の周縁部のみ複数の扉に跨ってＣ面２７を形成しても良い。この場合、一体化した冷蔵庫の両側面のクリスタルカットガラス感を強調することができ、意匠性の高い冷蔵庫を提供することができる。
【００６１】
（実施の形態２）
図８は本発明の実施の形態２における冷蔵庫の正面図、図９は同実施の形態における冷蔵庫の冷蔵室右扉の斜視図、図１０は図９のＣ−Ｃ断面図、図１１は冷蔵室右扉の開放側の要部拡大図、図１２は冷蔵室右扉のヒンジ側の要部拡大図、図１３は同実施の形態における冷蔵庫の冷蔵室右扉に用いる補強部材の斜視図、図１４は図８のＪ−Ｊ断面図、図１５は図１４のＤ部拡大図、図１６は図１４のＥ部拡大図、図１７は図１４のＦ部拡大図、図１８は図１４のＧ部拡大図、図１９は図１４のＨ部拡大図である。なお、実施の形態１と同一構成については、同一符号を付して詳細な説明を省略し、異なる部分のみ説明する。
【００６２】
図８において、上下左右に複数の扉を備えた冷蔵庫本体１の左側と右側と上側と下側の周縁部で複数の扉に跨って、ガラス板２５の板厚よりも大きい寸法幅のＣ面２７を形成しているので、冷蔵庫全体の外周部のトータル的な意匠性を向上することができる。
【００６３】
すなわち、観音開き式の断熱扉である冷蔵室左扉１０ａと冷蔵室右扉１０ｂの対向面には、ガラス板２５の板厚よりも大きい寸法幅のＣ面２７を設けていないので、観音開き式扉の一体感が向上する。同様に、製氷室扉１１と切替室扉１２の隣接面にもガラス板２５の板厚よりも大きい寸法幅のＣ面２７を設けていないので、左右に隣接する扉同士の一体感が向上する。
【００６４】
また、冷凍室扉１３と野菜室扉１４では左側と右側の周縁部にガラス板２５の板厚よりも大きい寸法幅のＣ面２７を形成し、冷凍室扉１３、野菜室扉１４の各引出式扉の上部に形成した手掛け部に隣接するガラス板２５の周縁部にはガラス板２５の板厚よりも大きい寸法幅のＣ面がない。したがって、ガラス板２５の板厚よりも大きい寸法幅のＣ面形成による相対的なガラス板２５の強度低下も防止できることになり、使用者の相対的な安全性を向上することができる。
【００６５】
また、図９から図１２に示すように、冷蔵室左扉１０ａの水平方向において、ヒンジ部５０を有する側のガラス板２５の端部にガラス板２５の板厚よりも大きい寸法幅のＣ面２７を設けている。そして、Ｃ面２７に繋がる外周側面２５ａは縁枠突出部２４ｄに覆われているとともに、外周側面２５ａの前端部は縁枠突出前端部２４ｅより後方に位置している。
【００６６】
これにより、使用者がガラス板２５のＣ面２７の端部近傍に食品等が接触した場合でも、の前端部は縁枠突出前端部２４ｅより後方に位置しているので、Ｃ面２７に繋がる外周側面２５ａに食品等が直接接触する機会を低減することができ、外周側面２５ａの前端部の破損等の不具合を低減することができる。
【００６７】
また、縁枠２４の縁枠突出前端部２４ｅはガラス板２５のＣ面２７のない前面Ｋより後
方に位置している。これにより、縁枠突出前端部２４ｅの存在感を押さえ、Ｃ面２７によりガラス板２５がクリスタルカットガラスのような高級感を奏した意匠性の高い扉を提供することができる。
【００６８】
また、冷蔵室左扉１０ａの水平方向において、ヒンジ部５０とは逆の開放側のガラス板２５の端部はガラス板２５の板厚よりも小さい寸法幅のＣ面２７ｃを設けている。
【００６９】
これにより、観音開き式の断熱扉である冷蔵室左扉１０ａと冷蔵室右扉１０ｂの対向面の端部には、ガラス板２５の板厚よりも小さい寸法幅のＣ面２７ｃのみを備えているので、左右方向で隣接、対向する冷蔵室左扉１０ａと冷蔵室右扉１０ｂの反ヒンジ側同士の一体感が向上する。
【００７０】
また、ガラス板２５の外周側面２５ｃの一部は縁枠２４の縁枠突出部２４ｆに覆われるとともに、外周側面２５ｃの一部は露出させており、縁枠突出前端部２４ｇはガラス板２５のＣ面２７ｃより後方、あるいはＣ面２７ｃの後部と略同一に位置している。
【００７１】
これにより、冷蔵室左扉１０ａと冷蔵室右扉１０ｂの反ヒンジ側の対向する端部の意匠性と清掃性を高めることができる。
【００７２】
また、ガラス板２５の前面と縁枠突出前端部２４ｇとの寸法をＴ３とし、Ｔ３はガラス板２５の板厚の１/２より小さく設定している。
【００７３】
これにより、冷蔵室左扉１０ａと冷蔵室右扉１０ｂの反ヒンジ側の対向する端部の保護と意匠性を両立させることができる。
【００７４】
また、図１４から図１９において、図１５（Ｄ部）に示すように、冷蔵室左扉１０ａと冷蔵室右扉１０ｂのガラス板２５の上端部は、ガラス板２５の板厚よりも大きい寸法幅のＣ面２７を形成している。
【００７５】
また、図１６（Ｅ部）に示すように、冷蔵室左扉１０ａと冷蔵室右扉１０ｂのガラス板２５の下端部は、ガラス板２５の板厚よりも小さい寸法幅のＣ面２７ｃのみを備え、ガラス板２５の外周側面の一部は露出させている。また、冷蔵室左扉１０ａと冷蔵室右扉１０ｂのガラス板２５の下端部と対向する製氷室扉１１あるいは切替室扉１２のガラス板２５の上端部は、ガラス板２５の板厚よりも小さい寸法幅のＣ面２７ｃのみを備え、ガラス板２５の外周側面の一部は露出させている。
【００７６】
これにより、冷蔵室左扉１０ａと冷蔵室右扉１０ｂのガラス板２５の下端部と対向する製氷室扉１１あるいは切替室扉１２のガラス板２５の上端部の一体的な意匠性向上と清掃性を高めることができる。
【００７７】
また、図１７（Ｆ部）に示すように、製氷室扉１１あるいは切替室扉１２のガラス板２５の下端部は、ガラス板２５の板厚よりも小さい寸法幅のＣ面２７ｃのみを備え、ガラス板２５の外周側面の一部は露出させている。また、製氷室扉１１あるいは切替室扉１２のガラス板２５の下端部と対向する冷凍室扉１３のガラス板２５の上端部は、ガラス板２５の板厚よりも小さい寸法幅のＣ面２７ｃのみを備え、ガラス板２５の外周側面の一部は露出させている。
【００７８】
これにより、製氷室扉１１あるいは切替室扉１２のガラス板２５の下端部と対向する冷凍室扉１３のガラス板２５の上端部の一体的な意匠性向上と清掃性を高めることができる。
【００７９】
なお、製氷室扉１１あるいは切替室扉１２の下部には使用者が製氷室扉１１あるいは切替室扉１２を前方に引き出すための手掛け部４０を備えている。同様に、冷凍室扉１３の上部には使用者が冷凍室扉１３を前方に引き出すための手掛け部４０を備えている。
【００８０】
また、図１８（Ｇ部）に示すように、冷凍室扉１３のガラス板２５の下端部は、ガラス板２５の板厚よりも小さい寸法幅のＣ面２７ｃのみを備え、ガラス板２５の外周側面の一部は露出させている。また、冷凍室扉１３のガラス板２５の下端部と対向する野菜室扉１４のガラス板２５の上端部は、ガラス板２５の板厚よりも小さい寸法幅のＣ面２７ｃのみを備え、ガラス板２５の外周側面の一部は露出させている。
【００８１】
これにより、冷凍室扉１３のガラス板２５の下端部と対向する野菜室扉１４のガラス板２５の上端部の一体的な意匠性向上と清掃性を高めることができる。
【００８２】
なお、野菜室扉１４の上部には使用者が野菜室扉１４を前方に引き出すための手掛け部４０を備えている。
【００８３】
また、図１９（Ｈ部）に示すように、野菜室扉１４のガラス板２５の下端部は、ガラス板２５の板厚よりも大きい寸法幅のＣ面２７を形成している。
【００８４】
なお、野菜室扉１４の下方の冷蔵庫本体下部には使用者が冷蔵庫の設置を安定させるアジャスタ４１を備えている。
【００８５】
以上、説明したように、本実施の形態では、上下左右に複数の扉を備えた冷蔵庫本体１の左側と右側と上側と下側の周縁部で複数の扉に跨って、ガラス板２５の板厚よりも大きい寸法幅のＣ面２７を形成しているので、冷蔵庫全体の外周部のトータル的な意匠性を向上することができる。そして、上下左右に配置された複数の扉のそれぞれ対向する部分のガラス板端部にはガラス板２５の板厚よりも小さい寸法幅のＣ面２７ｃのみを備えているので、冷蔵庫前面周縁のＣ面２７によりガラス板２５がクリスタルカットガラスのような高級感を奏した意匠性の高い扉を提供することができる。
【００８６】
さらに、Ｃ面２７に繋がる外周側面２５ａは縁枠突出部２４ｄに覆われているとともに、外周側面２５ａの前端部は縁枠突出前端部２４ｅより後方に位置していることにより、使用者がガラス板２５のＣ面２７の端部近傍に食品等が接触した場合でも、の前端部は縁枠突出前端部２４ｅより後方に位置しているので、Ｃ面２７に繋がる外周側面２５ａに食品等が直接接触する機会を低減することができ、外周側面２５ａの前端部の破損等の不具合を低減することができる。
【００８７】
なお、本実施の形態では、上方より、冷蔵室５、冷蔵室５の下に位置する切替室６及び切替室６に並設した製氷室７、切替室６及び製氷室７の下部に位置する冷凍室８と、冷凍室８の下部に位置する野菜室９を備えた冷蔵庫で説明したが、このレイアウトに限定されるものではなく、複数の貯蔵室、および各貯蔵室の前面に備えた扉を有するものであれば、上記技術思想は同様に実施可能であり、同様な作用効果を奏することはもちろんである。
【００８８】
次に、冷蔵室左扉１０ａと冷蔵室右扉１０ｂの縁枠２４に隣接して扉内の左右側部に配置され扉の強度を高める補強部材３３について説明する。
【００８９】
図１０に示すように、冷蔵室左扉１０ａと冷蔵室右扉１０ｂの縁枠２４に隣接して扉内の左右側部に配置され扉の強度を高める断面コの字状の補強部材３３は、同一仕様のもの
を兼用化している。そして、補強部材３３の断面コの字状の両側フランジ３３ａ，３３ｂは異なる長さであり、ヒンジ部５０側の補強部材３３の長い方のフランジ３３ａはヒンジ部５０近傍に位置し、フランジ３３ｂは庫内側の縁枠２４に接して配置される。そして、ヒンジ部５０の反対側（開放側）の補強部材３３の長い方のフランジ３３ａは縁枠２４のガラス板２５側のフランジ部３０に接して配置され、内部に発泡断熱材が充填される。
【００９０】
これにより、補強部材３３は、同一仕様のものを兼用化しているので、低コスト化を図ることができるとともに、ヒンジ部５０側の補強部材３３の長い方のフランジ３３ａはヒンジ部５０近傍に位置しているので、冷蔵室左扉１０ａと冷蔵室右扉１０ｂの開放時の回転モーメントによるヒンジ部５０近傍の強度を効率的に高めることができ、ヒンジ式扉の信頼性を高めることができる。
【００９１】
なお、冷蔵室左扉１０ａと冷蔵室右扉１０ｂの強度をさらに高めるために、内部に鉄板等を入れて内部に発泡断熱材を充填してもよい。
【００９２】
（実施の形態３）
図２０は本発明の実施の形態３における冷蔵庫の冷蔵室右扉の要部拡大断面図である。なお、実施の形態１、２と同一構成については同一符号を付して詳細な説明を省略する。
【００９３】
図において、ガラス板２５の端部にはガラス板２５の板厚よりも大きい寸法幅のＣ面２７を形成している。そして、Ｃ面２７のＣ面傾斜面２７ａの先端部は、縁枠２４のフランジ部３０と縁枠前端部４２とで形成された挿入部４３に挿入され固定される。
【００９４】
縁枠前端部４２の前端面Ｍはガラス板２５の前面Ｌより後方に位置し、Ｃ面傾斜面２７ａの先端面Ｎより前方に位置している。
【００９５】
縁枠前端部４２はガラス板２５に向かって徐々に肉厚を小さくしている。そして、縁枠２４のフランジ部３０と縁枠前端部４２とで形成された挿入部４３は溝幅を略並行に形成し、Ｃ面傾斜面２７ａの先端部を挿入部４３に、縁枠前端部４２の先端を押し広げながら挿入され固定される。
【００９６】
これにより、縁枠前端部４２とＣ面２７のＣ面傾斜面２７ａとは、ほぼ隙間なく配置され、埃等が隙間に入り込むことを低減することができる。
【００９７】
さらに、Ｃ面２７のＣ面傾斜面２７ａの端部を縁枠前端部４２で覆うことができ、食品等の接触による不具合も低減することができる。
【００９８】
なお、縁枠２４のフランジ部３０と縁枠前端部４２とで形成された挿入部４３の寸法（奥行）はガラス板２５の板厚以下にすることが望ましい。これにより、Ｃ面２７により奏するガラス板２５のクリスタルカットガラスのような高級感を損なうことなく意匠性と信頼性を高めることができる。
【産業上の利用可能性】
【００９９】
以上のように、本発明にかかる冷蔵庫は、透明前板の外周部の少なくとも一部にＣ面を形成したことにより、高い意匠性の扉を提供することができるので、透明前板を有する断熱扉を備えたあらゆる冷熱機器の用途にも適用できる。
【符号の説明】
【０１００】
１  冷蔵庫本体
２  外箱
３  内箱
４  発泡ウレタン
５  冷蔵室
６  切替室
７  製氷室
８  冷凍室
９  野菜室
１０ａ  冷蔵室左扉
１０ｂ  冷蔵室右扉
１１  製氷室扉
１２  切替室扉
１３  冷凍室扉
１４  野菜室扉
１６  冷却室
１７  冷却器
１８  送風ファン
１９  圧縮機
２０  放熱パイプ
２１  キャピラリーチューブ
２３  内フレーム
２４  縁枠
２４ａ  縁枠前端部
２４ｂ  縁枠傾斜面
２４ｃ  縁枠側面
２４ｄ  縁枠突出部
２４ｅ  縁枠突出前端部
２４ｆ  縁枠突出部
２４ｇ  縁枠突出前端部
２５  ガラス板
２５ａ  外周側面
２５ｂ  Ｒ部
２５ｃ  外周側面
２６  両面テープ
２７  Ｃ面
２７ａ  Ｃ面傾斜面
２７ｂ  Ｃ面内側端部
２７ｃ  Ｃ面
２８  着色層
２９  ウレタン
３０  フランジ部
３１  第２フランジ部
３２  第３フランジ部
３３  補強部材
４０  手掛け部
４１  アジャスタ
４２  縁枠前端部
４３  挿入部
５０  ヒンジ部
【図１】
0005998360.tif 000002
【図２】
0005998360.tif 000003
【図３】
0005998360.tif 000004
【図４】
0005998360.tif 000005
【図５】
0005998360.tif 000006
【図６】
0005998360.tif 000007
【図７】
0005998360.tif 000008
【図８】
0005998360.tif 000009
【図９】
0005998360.tif 000010
【図１０】
0005998360.tif 000011
【図１１】
0005998360.tif 000012
【図１２】
0005998360.tif 000013
【図１３】
0005998360.tif 000014
【図１４】
0005998360.tif 000015
【図１５】
0005998360.tif 000016
【図１６】
0005998360.tif 000017
【図１７】
0005998360.tif 000018
【図１８】
0005998360.tif 000019
【図１９】
0005998360.tif 000020
【図２０】
0005998360.tif 000021
【図２１】
0005998360.tif 000022